(57)【要約】【課題】刈払機の運搬時においても、刃部を安定した状態で支持しつつ、刃部を容易に保護することができる刈払機用刃部カバーを提供する。【解決手段】長尺状の柄部２１と、円板状の刃部２２と、刃部２２を支持する表側支持部２３及び裏側支持部２４と、を備える刈払機２０の刃部２２を覆う刈払機用刃部カバー１であって、刃部２２の表面２２ａにおける少なくとも半分を覆う表カバー部２と、表カバー部２の厚さ方向に所定の間隔をあけて配置され、刃部２２の裏面２２ｂにおける少なくとも半分を覆う裏カバー部３と、表カバー部２と裏カバー部３との間に、開口部４及び収容部５を形成するように表カバー部２の周縁の一部と裏カバー部３の周縁の一部とを連結する連結部６と、表カバー部２が切り欠かれて形成された表スリット部７と、裏カバー部３が切り欠かれて形成された裏スリット部８と、開口部４が設けられた側と反対側に設けられる底面部９と、を備える。【選択図】図５
2012029681.tif 000002
【特許請求の範囲】
【請求項１】
長尺状の柄部と、
前記柄部の一端側に該柄部の延びる方向に対して鋭角を有して配置され、該柄部に対して回転可能に支持される円板状の刃部と、
前記刃部の表面側における中心部に設けられ該刃部を支持する表側支持部と、
前記刃部の裏面側における中心部に設けられ該刃部を支持する裏側支持部と、
を備える刈払機の前記刃部を覆う刈払機用刃部カバーであって、
前記刃部の表面における少なくとも半分を覆う表カバー部と、
前記表カバー部の厚さ方向に所定の間隔をあけて配置され、前記刃部の裏面における少なくとも半分を覆う裏カバー部と、
前記表カバー部と前記裏カバー部との間に、開口部及び前記刃部を収容する収容部を形成するように前記表カバー部の周縁の一部と前記裏カバー部の周縁の一部とを連結する連結部と、
前記開口部が設けられた側から前記表カバー部が切り欠かれて形成された表スリット部と、
前記開口部が設けられた側から前記裏カバー部が切り欠かれて形成された裏スリット部と、
前記開口部が設けられた側と反対側に設けられる底面部と、
を備える刈払機用刃部カバー。
【請求項２】
前記裏スリット部の大きさは、前記表スリット部の大きさよりも大きい請求項１に記載の刈払機用刃部カバー。
【請求項３】
前記表カバー部及び前記裏カバー部は、ほぼ同一の大きさの四角形に構成される請求項１又は２に記載の刈払機用刃部カバー。
【請求項４】
前記四角形における前記底面部の側の辺の長さは、前記四角形における前記開口部の側の辺の長さよりも長い請求項３に記載の刈払機用刃部カバー。
【請求項５】
前記表カバー部の厚み方向における前記開口部の大きさは、前記底面部の側から開口縁側に向かって徐々に大きくなっている請求項１から請求項４のいずれか一つに記載の刈払機用刃部カバー。
【請求項６】
前記底面部は、前記表カバー部の表面と鋭角をなす請求項１から請求項５のいずれか一つに記載の刈払機用刃部カバー。
【請求項７】
前記収容部の内部と外部とを連通する通気口を更に備える請求項１から請求項６のいずれか一つに記載の刈払機用刃部カバー。
【請求項８】
前記表カバー部及び／又は前記裏カバー部は、該表カバー部及び／又は該裏カバー部から前記収容部側に突出し且つ該収容部に収容された前記刃部に当接可能な凸部を更に備える請求項１から請求項７のいずれか一つに記載の刈払機用刃部カバー。
【請求項９】
前記表カバー部及び／又は前記裏カバー部は、該表カバー部及び／又は該裏カバー部から前記収容部側に突出し且つ該収容部に収容された前記刃部に当接可能な弾性部材を更に備える請求項１から請求項７のいずれか一つに記載の刈払機用刃部カバー。
【発明の詳細な説明】
【技術分野】
【０００１】
本発明は、刈払機の刃部を覆う刈払機用刃部カバーに関する。
【背景技術】
【０００２】
従来より、草刈りや細木の伐採等の作業をする際に、刈払機が使用されている。このような刈払機は、作業者によって支持される長尺状の柄部と、この柄部の一端側に回転可能に支持される円板状の刃部と、を備える。刈払機の刃部は、エンジン又はモータ等の動力源によって回転可能に構成される。作業者は、この回転する刃部によって草や細木等を刈り取ることができる。
【０００３】
ところで、作業を終了した場合や作業場所を変更する場合、刈払機を例えばトラックの荷台等に載置して搬送することがある。このような場合、刈払機の刃部は、刃先が露出した状態で上記荷台等に載置され、刃先が荷台等に当接することが多い。そのため、刃先が欠損したり、刃先によって載置箇所を傷付けるおそれがあった。
【０００４】
そこで、従来より、刈払機の搬送時等に、刈払機の刃部を覆うように刃部に装着される刈払機用刃部カバーが提供されている（例えば、特許文献１参照）。
この刈払機用刃部カバーは、ゴム、合成樹脂、布等からなる薄いシートによって袋状に構成され、刈払機の刃部を覆うことができるように構成されている。
【先行技術文献】
【特許文献】
【０００５】
【特許文献１】実開平５−１５７２１号公報
【発明の概要】
【発明が解決しようとする課題】
【０００６】
上記特許文献１に記載の刈払機用刃部カバーは、刈払機の刃部を覆うことにより、刃先が露出しないようにし、刃先が直接、載置箇所に当接することを防止することができる。そのため、刃先の欠損や刃先による載置箇所の傷付けをある程度抑制することができる。
【０００７】
ところで、刈払機をトラックの荷台等に載置して搬送する場合には、走行中の揺れや振動が生じても、刈払機の刃部を荷台等に安定して載置（支持）できることが必要である。そのため、刈払機用刃部カバーには、刈払機の刃部を安定して支持するために、十分な剛性が求められる。
【０００８】
しかし、上記特許文献１に記載の刈払機用刃部カバーは、ゴム、合成樹脂、布等からなる薄いシートによって袋状に構成されるため、十分な剛性を有するように構成するのは困難である。そのため、上記特許文献１に記載の刈払機用刃部カバーでは、刈払機の刃部を安定して支持することが困難であり、刈払機の刃部を安定して支持するためには、別途の支持部材を用意し、この支持部材によって刈払機を支持する必要があった。
従って、作業者は、刈払機の運搬時に別途の支持部材を用意しなければならず、手間がかかっていた。
【０００９】
本発明は、刈払機の運搬時においても、刃部を安定した状態で支持しつつ、刃部を容易に保護することができる刈払機用刃部カバーを提供することを目的とする。
【課題を解決するための手段】
【００１０】
本発明は、長尺状の柄部と、前記柄部の一端側に該柄部の延びる方向に対して鋭角を有して配置され、該柄部に対して回転可能に支持される円板状の刃部と、前記刃部の表面側における中心部に設けられ該刃部を支持する表側支持部と、前記刃部の裏面側における中心部に設けられ該刃部を支持する裏側支持部と、を備える刈払機の前記刃部を覆う刈払機用刃部カバーであって、前記刃部の表面における少なくとも半分を覆う表カバー部と、前記表カバー部の厚さ方向に所定の間隔をあけて配置され、前記刃部の裏面における少なくとも半分を覆う裏カバー部と、前記表カバー部と前記裏カバー部との間に、開口部及び前記刃部を収容する収容部を形成するように前記表カバー部の周縁の一部と前記裏カバー部の周縁の一部とを連結する連結部と、前記開口部が設けられた側から前記表カバー部が切り欠かれて形成された表スリット部と、前記開口部が設けられた側から前記裏カバー部が切り欠かれて形成された裏スリット部と、前記開口部が設けられた側と反対側に設けられる底面部と、を備える刈払機用刃部カバーに関する。
【００１１】
また、前記裏スリット部の大きさは、前記表スリット部の大きさよりも大きいことが好ましい。
【００１２】
また、前記表カバー部及び前記裏カバー部は、ほぼ同一の大きさの四角形に構成されることが好ましい。
【００１３】
また、前記四角形における前記底面部の側の辺の長さは、前記四角形における前記開口部の側の辺の長さよりも長いことが好ましい。
【００１４】
また、前記表カバー部の厚み方向における前記開口部の大きさは、前記底面部の側から開口縁側に向かって徐々に大きくなっていることが好ましい。
【００１５】
また、前記底面部は、前記表カバー部の表面と鋭角をなすことが好ましい。
【００１６】
また、前記収容部の内部と外部とを連通する通気口を更に備えることが好ましい。
【００１７】
また、前記表カバー部及び／又は前記裏カバー部は、該表カバー部及び／又は該裏カバー部から前記収容部側に突出し且つ該収容部に収容された前記刃部に当接可能な凸部を更に備えることが好ましい。
【００１８】
また、前記表カバー部及び／又は前記裏カバー部は、該表カバー部及び／又は該裏カバー部から前記収容部側に突出し且つ該収容部に収容された前記刃部に当接可能な弾性部材を更に備えることが好ましい。
【発明の効果】
【００１９】
本発明によれば、刈払機の運搬時においても、刃部を安定した状態で支持しつつ、刃部を容易に保護することができる刈払機用刃部カバーを提供することができる。
【図面の簡単な説明】
【００２０】
【図１】本発明の第１実施形態の刈払機用刃部カバー１を上側から視た斜視図である。
【図２】本発明の第１実施形態の刈払機用刃部カバー１を下側から視た斜視図である。
【図３】本発明の第１実施形態の刈払機用刃部カバー１の底面部９を示す図である。
【図４】刈払機用刃部カバー１の底面部９の近傍を示す断面図である。
【図５】本発明の第１実施形態の刈払機用刃部カバー１を使用せずに刈払機２０を載置する場合（ａ）と刈払機用刃部カバー１を使用して刈払機２０を載置する場合（ｂ）とを示す斜視図である。
【図６】本発明の第２実施形態の刈払機用刃部カバー１Ａを示す斜視図である。
【図７】本発明の第３実施形態の刈払機用刃部カバー１Ｂを示す部分断面図である。
【図８】本発明の第４実施形態の刈払機用刃部カバー１Ｃを示す部分側面図である。
【図９】本発明の第５実施形態の刈払機用刃部カバー１Ｄを示す斜視図である。
【図１０】本発明の第６実施形態の刈払機用刃部カバー１Ｅを示す平面図である。
【図１１】本発明の第７実施形態の刈払機用刃部カバー１Ｆを示す斜視図である。
【図１２】本発明の第８実施形態の刈払機用刃部カバー１Ｇを示す斜視図である。
【図１３】本発明の第９実施形態の刈払機用刃部カバー１Ｈを示す平面図である。
【図１４】本発明の第１０実施形態の刈払機用刃部カバー１Ｊを示す平面図である。
【図１５】本発明の第１１実施形態の刈払機用刃部カバー１Ｋを示す平面図である。
【図１６】図１５に示すＡ−Ａ線で切断した凸部８０を示す断面図である。
【図１７】本発明の第１２実施形態の刈払機用刃部カバー１Ｌを示す平面図である。
【図１８】図１７に示すＢ−Ｂ線で切断した板バネ８５を示す断面図である。
【発明を実施するための形態】
【００２１】
〔第１実施形態〕
以下に、本発明の第１実施形態の刈払機用刃部カバー１について図１から図５を参照しながら説明する。図１は、本発明の第１実施形態の刈払機用刃部カバー１を上側から視た斜視図である。図２は、本発明の第１実施形態の刈払機用刃部カバー１を下側から視た斜視図である。図３は、本発明の第１実施形態の刈払機用刃部カバー１の底面部を示す図である。図４は、刈払機用刃部カバー１の底面部９の近傍を示す断面図である。図５は、本発明の第１実施形態の刈払機用刃部カバー１を使用せずに刈払機２０を載置する場合（ａ）と刈払機用刃部カバー１を使用して刈払機２０を載置する場合（ｂ）とを示す斜視図である。
【００２２】
本発明の第１実施形態の刈払機用刃部カバー１は、図１及び図２に示すように、刈払機２０の刃部２２に装着され、刃部２２を覆うものである。先ず、刈払機２０の概略構成について説明する。
図１、図２及び図５（ａ）に示すように、刈払機２０は、長尺状の柄部２１と、円板状の刃部２２と、刃部２２を支持する表側支持部２３及び裏側支持部２４と、刃部２２を回転させる動力源としてのエンジン（図示せず）と、このエンジンの駆動力を刃部２２に伝達する伝達機構（図示せず）と、を備える。
【００２３】
柄部２１は、作業者によって支持される部分である。図５（ａ）に示すように、柄部２１は、作業者が柄部２１を支持する際に把持するハンドル部２５，２６を備える。柄部２１は、例えば、円筒パイプにより構成される。
【００２４】
刃部２２は、草や細木等を刈り取る部分である。刃部２２の外周縁には、複数の刃先２２ｃが設けられている。刃部２２は、柄部２１の一端２１ａ側に、柄部２１の延びる方向に対して鋭角θ１を有して配置され、柄部２１に対して回転可能に支持される。鋭角θ１は、例えば、３０〜４５度が好ましい。
【００２５】
表側支持部２３は、図１に示すように、刃部２２の表面２２ａ側における中心部に設けられ、刃部２２の表面２２ａ側から刃部２２を支持する。表側支持部２３は、例えば、ほぼ円錐台状に構成されている。裏側支持部２４は、図２に示すように、刃部２２の裏面２２ｂ側における中心部に設けられ、刃部２２の裏面２２ｂ側から刃部２２を支持する。裏側支持部２４は、例えば、ほぼ円柱状に構成されている。
【００２６】
裏側支持部２４は、草木等が裏側支持部２４等に絡まることを防止する絡まり防止部材２４ａを備える。この絡まり防止部材２４ａは、ほぼ円環状の刃物部材であり、必要に応じて裏側支持部２４の外周縁に設けられる。絡まり防止部材２４ａが設けられた裏側支持部２４の外径は、表側支持部２３の外径よりも大きくなっている。
【００２７】
上記エンジン（図示せず）は、本実施形態では、例えば、作業者によって背負うことができる内燃機関として構成されているが、柄部２１の他端２１ｂ側（図５（ａ）参照）に固定される内燃機関であってもよい。なお、刃部２２を回転させる動力源は、内燃機関としてのエンジンではなく、電動モータであってもよい。
【００２８】
上記伝達機構は、例えば、回転可能な軸部材（図示せず）と、この軸部材の回転を刃部２２に伝達する歯車機構（図示せず）と、を備える。この軸部材は、柄部２１の内部に挿通されている。歯車機構は、軸部材の回転を刃部２２に伝達する傘歯車等から構成されている。
【００２９】
次に、刈払機用刃部カバー１について図１〜図４を参照しながら説明する。図１〜図４に示すように、刈払機用刃部カバー１は、刃部２２の表面２２ａを覆う表カバー部２と、刃部２２の裏面２２ｂを覆う裏カバー部３と、表カバー部２の周縁の一部と裏カバー部３の周縁の一部とを連結する連結部６と、表カバー部２が切り欠かれて形成された表スリット部７と、裏カバー部３が切り欠かれて形成された裏スリット部８と、底面部９と、を備える。
【００３０】
表カバー部２は、刃部２２の表面２２ａにおける半分を超えるように覆う。ここで、「刃部２２の表面２２ａにおける半分を超える」とは、例えば、刃部２２の表面２２ａ全体の３分の２程度であることが好ましい。
裏カバー部３は、表カバー部２の厚さ方向に所定の間隔をあけて配置され、刃部２２の裏面２２ｂにおける半分を超えるように覆う。ここで、「所定の間隔」とは、刃部２２の厚さよりも大きい間隔をいう。また、「刃部２２の裏面２２ｂにおける半分を超える」とは、例えば、刃部２２の裏面２２ｂ全体の３分の２程度であることが好ましい。
【００３１】
表カバー部２及び裏カバー部３は、ほぼ同一の大きさの長方形（四角形）に構成される。この長方形の長辺は、刃部２２の直径よりも大きい。長方形の長辺は、図１及び図２においては、左右方向に延びる辺（以下、横辺という場合もある）をいう。また、この長方形の短辺は、刃部２２の直径よりも小さい。長方形の短辺は、上記長辺と交差する方向に延びる辺（以下、縦辺という場合もある）をいう。
【００３２】
連結部６は、表カバー部２と裏カバー部３との間に、開口部４及び刃部２２を収容する収容部５を形成するように、表カバー部２の一組の短辺（周縁の一部）と裏カバー部３の一組の短辺（周縁の一部）とを連結する。
【００３３】
図１及び図２に示すように、収容部５は、開口部４から挿入される刃部２２を収容する空間である。開口部４は、収容部５における上記短辺方向の端部に開口される。開口部４及び収容部５における上記長辺方向の大きさは、刃部２２の直径よりも大きい。また、表カバー部２の厚さ方向における開口部４及び収容部５の大きさ（間隙）は、ほぼ同一であり、刃部２２の厚さよりも大きくなっている。
【００３４】
図１に示すように、表スリット部７は、開口部４が設けられた側から表カバー部２が切り欠かれて形成される。表スリット部７は、例えば、長方形状に切り欠かれる。この表スリット部７において、開口部４が設けられた側からの切り欠き長さは、表カバー部２の短辺の長さのほぼ半分程度となっていることが好ましい。また、表カバー部２の長辺方向における表スリット部７の切り欠き長さは、表側支持部２３の最大外径よりも大きくなっている。
【００３５】
図２に示すように、裏スリット部８は、開口部４が設けられた側から裏カバー部３が切り欠かれて形成される。裏スリット部８は、例えば、長方形状に切り欠かれる。この裏スリット部８において、開口部４が設けられた側からの切り欠き長さは、裏カバー部３の短辺の長さのほぼ半分程度となっていることが好ましい。また、裏カバー部３の長辺方向における裏スリット部８の切り欠き長さは、絡まり防止部材２４ａが設けられた裏側支持部２４の最大外径よりも大きくなっている。
【００３６】
上述したように、絡まり防止部材２４ａが設けられた裏側支持部２４の外径は、表側支持部２３の外径よりも大きい。そのため、裏スリット部８の大きさは、表スリット部７の大きさよりも大きくなっている。
【００３７】
図１〜図４に示すように、底面部９は、表カバー部２及び裏カバー部３において、開口部４が設けられた側と反対側に設けられ、且つ、収容部５を閉塞するように設けられる。底面部９は、表カバー部２及び裏カバー部３に対して直角に設けられている。底面部９は、刈払機用刃部カバー１が装着された刈払機２０が、所定の載置面５０（図２及び図５（ｂ）参照）に載置された場合に、その載置面５０と当接する部分である。
【００３８】
以上のように構成される刈払機用刃部カバー１は、十分な剛性を有するように、例えば、プラスチック等の合成樹脂により成形されることが好ましい。
【００３９】
次に、刈払機用刃部カバー１の作用について図５を参照しながら説明する。図５（ａ）に示すように、刈払機用刃部カバー１を使用せずに刈払機２０を載置面５０に載置する場合は、刃部２２のすべての刃先２２ｃが露出しており、一部（下部）の刃先２２ｃは、載置面５０と当接している。このとき、この刃先２２ｃには、刈払機２０の自重の一部が作用するため、載置面５０から所定の摩擦力を受ける。
【００４０】
特に、載置面５０がトラックの荷台である場合には、トラックの走行中の振動等により、刈払機２０が、円板状の刃部２２の円周方向に揺れ動き易い。そのため、刈払機２０の運搬時において、載置面５０と当接している刃先２２ｃは、載置面５０から受ける摩擦力によって欠損し易かった。また、載置面５０も、刃先２２ｃによって傷付き易かった。
【００４１】
一方、図５（ｂ）に示すように、本実施形態に係る十分な剛性を有する刈払機用刃部カバー１によって刈払機２０の刃部２２を覆ってから、刈払機２０を載置面５０に載置する場合は、刈払機用刃部カバー１の底面部９が載置面５０に当接する。そのため、刃先２２ｃは、載置面５０に当接せず、載置面５０から摩擦力を受けない。従って、刃先２２ｃは、載置面５０からの摩擦力を受けて欠損することを抑制される。
【００４２】
また、刈払機用刃部カバー１を刃部２２に装着する場合に、刈払機用刃部カバー１の表スリット部７に、刈払機２０の表側支持部２３が配置される。そのため、表側支持部２３と表カバー部２とが干渉しない。これにより、刃部２２の表面２２ａにおける半分を超える部分が、表カバー部２によって覆われる。
【００４３】
また、刈払機用刃部カバー１を刃部２２に装着する場合に、刈払機用刃部カバー１の裏スリット部８に、刈払機２０の裏側支持部２４が配置される。そのため、裏側支持部２４と裏カバー部３とが干渉しない。これにより、刃部２２の裏面２２ｂにおける半分を超える部分が、裏カバー部３によって覆われる。
【００４４】
以上に説明した第１実施形態の刈払機用刃部カバー１によれば、以下に示す各効果が奏される。
第１実施形態の刈払機用刃部カバー１は、表カバー部２と、裏カバー部３と、表カバー部２と裏カバー部３との間に、開口部４及び刃部２２を収容する収容部５を形成するように表カバー部２の周縁の一部と裏カバー部３の周縁の一部とを連結する連結部６と、表スリット部７と、裏スリット部８と、開口部４が設けられた側と反対側に設けられる底面部９と、を備える。
【００４５】
そのため、十分な剛性を有する刈払機用刃部カバー１で刃部２２を覆うと共に、底面部９を載置面５０と当接させることにより、載置面５０からの摩擦力が刃先２２ｃに及ぶことを防止することができる。従って、載置面５０からの摩擦力によって刃先２２ｃが欠損することを抑制することができる。また、刃部２２を覆う刈払機用刃部カバー１は、底面部９によって安定した状態で載置面５０に載置される。そのため、刈払機２０の運搬時においても、刃部２２を安定した状態で支持しつつ、刃部２２を容易に保護することができる。
【００４６】
また、裏スリット部８の大きさは、表スリット部７の大きさよりも大きい。そのため、絡まり防止部材２４ａを裏側支持部２４に装着した場合であっても、絡まり防止部材２４ａと裏カバー部３とが干渉することを防止することができる。従って、作業者は、必要に応じて、絡まり防止部材２４ａを裏側支持部２４に装着することができる。
【００４７】
また、刈払機用刃部カバー１の表カバー部２及び裏カバー部３は、ほぼ同一の大きさの長方形に構成される。そのため、刈払機２０をトラックにより運搬する場合において、刃部２２を収容した刈払機用刃部カバー１が、上記長方形の長辺方向に揺れ動いたり、転がることを抑制することができる。従って、刈払機２０を載置面５０に安定して載置することができる。
【００４８】
次に、本発明の他の実施形態について説明する。他の実施形態については、主として、第１実施形態とは異なる点を中心に説明し、第１実施形態と同様の構成については、同じ符号を付し、詳細な説明を省略する。他の実施形態において特に説明しない点は、第１実施形態についての説明が適宜適用又は援用される。
【００４９】
〔第２実施形態〕
次に、本発明の第２実施形態の刈払機用刃部カバー１Ａについて図６を参照しながら説明する。図６は、本発明の第２実施形態の刈払機用刃部カバー１Ａを示す斜視図である。
図６に示すように、刈払機用刃部カバー１Ａにおける表カバー部２及び裏カバー部３の縦辺の長さは、刃部２２の直径よりも大きい。つまり、刈払機用刃部カバー１Ａは、刈払機２０の刃部２２のすべての刃先２２ｃを覆うように構成される。その他の構成は、前記第１実施形態の刈払機用刃部カバー１の場合と同様であるので、重複説明を省略する。
【００５０】
以上のように、第２実施形態の刈払機用刃部カバー１Ａによれば、前記第１実施形態の刈払機用刃部カバー１と同様の効果が奏されると共に、以下に示す効果が奏される。
第２実施形態の刈払機用刃部カバー１Ａにおいては、刈払機２０の刃部２２のすべての刃先２２ｃを覆うように構成される。
そのため、刃先２２ｃの露出部分をなくし、刃先２２ｃの全体を保護することができる。また、刈払機２０の運搬時に、作業者等が、刃先２２ｃの露出部分に不用意に触れることを抑制することができる。
【００５１】
〔第３実施形態〕
次に、本発明の第３実施形態の刈払機用刃部カバー１Ｂについて図７を参照しながら説明する。図７は、本発明の第３実施形態の刈払機用刃部カバー１Ｂを示す部分断面図である。
図７に示すように、表カバー部２の厚み方向における開口部４の大きさは、底面部（図示せず）の側から開口縁４ａ側に向かって徐々に大きくなっている。つまり、開口部４の大きさは、表カバー部２の厚み方向における収容部５の大きさよりも大きくなっている。
その他の構成は、前記第１実施形態の刈払機用刃部カバー１の場合と同様であるので、重複説明を省略する。
【００５２】
以上のように、第３実施形態の刈払機用刃部カバー１Ｂによれば、前記第１実施形態の刈払機用刃部カバー１と同様の効果が奏されると共に、以下に示す効果が奏される。
第３実施形態の刈払機用刃部カバー１Ｂにおいては、表カバー部２の厚み方向における開口部４の大きさは、底面部（図示せず）の側から開口縁４ａ側に向かって徐々に大きくなっている。
そのため、刈払機２０の刃部２２に刈払機用刃部カバー１Ｂを装着する際に、刃先２２ｃを開口部４に挿入し易くすることができる。
【００５３】
〔第４実施形態〕
次に、本発明の第４実施形態の刈払機用刃部カバー１Ｃについて図８を参照しながら説明する。図８は、本発明の第４実施形態の刈払機用刃部カバー１Ｃを示す部分側面図である。
図８に示すように、刈払機用刃部カバー１Ｃの底面部９は、表カバー部２の表面２ａと鋭角θ２をなすように構成される。鋭角θ２は、例えば、３０〜６０度が好ましい。
【００５４】
次に、第４実施形態の刈払機用刃部カバー１Ｃの作用について説明する。上述したように、刃部２２（図５（ａ）参照）は、柄部２１の一端２１ａ側に、柄部２１の延びる方向に対して鋭角θ１を有して配置されている。そのため、図８に示すように、刃部２２に刈払機用刃部カバー１Ｃが装着された刈払機２０（図示せず）を載置面５０に載置すると、底面部９は、載置面５０と面接触する。従って、底面部９と載置面５０との当接面積が、より多く確保される。
その他の構成及び作用は、前記第１実施形態の刈払機用刃部カバー１の場合と同様であるので、重複説明を省略する。
【００５５】
以上のように、第４実施形態の刈払機用刃部カバー１Ｃによれば、前記第１実施形態の刈払機用刃部カバー１と同様の効果が奏されると共に、以下に示す効果が奏される。
第４実施形態の刈払機用刃部カバー１Ｃにおいては、底面部９は、表カバー部２の表面２ａと鋭角θ２をなすように構成される。
そのため、底面部９と載置面５０との当接面積をより多く確保することができ、刈払機２０を載置面５０に更に安定した状態で載置することができる。
【００５６】
〔第５実施形態〕
次に、本発明の第５実施形態の刈払機用刃部カバー１Ｄについて図９を参照しながら説明する。図９は、本発明の第５実施形態の刈払機用刃部カバー１Ｄを示す斜視図である。
図９に示すように、表カバー部２及び裏カバー部３は、ほぼ同一の大きさの台形（例えば、等脚台形）状に構成され、且つ、この台形における下底（底面部９の側の横辺）２８の長さは、上底（開口部４の側の横辺）２９の長さよりも長くなっている。
その他の構成及び作用は、前記第１実施形態の刈払機用刃部カバー１の場合と同様であるので、重複説明を省略する。
【００５７】
以上のように、第５実施形態の刈払機用刃部カバー１Ｄによれば、前記第１実施形態の刈払機用刃部カバー１と同様の効果が奏されると共に、以下に示す効果が奏される。
第５実施形態の刈払機用刃部カバー１Ｄにおいては、表カバー部２及び裏カバー部３は、ほぼ同一の大きさの台形状に構成され、且つ、この台形における下底２８の長さは、上底２９の長さよりも長くなっている。そのため、底面部９の上記横辺方向の長さを、より長く確保することができ、底面部９と載置面５０とが当接する長さをより長く確保することができる。従って、刈払機２０を載置面５０に更に安定した状態で載置することができる。
【００５８】
〔第６実施形態〕
次に、本発明の第６実施形態の刈払機用刃部カバー１Ｅについて図１０を参照しながら説明する。図１０は、本発明の第６実施形態の刈払機用刃部カバー１Ｅを示す平面図である。
図１０に示すように、刈払機用刃部カバー１Ｅは、脱落防止部材３０と、通気口４０と、を備える。
【００５９】
脱落防止部材３０は、刈払機用刃部カバー１Ｅが刈払機２０の刃部２２に取り付けられた状態において、刈払機用刃部カバー１Ｅが刃部２２から脱落することを防止する部材である。具体的には、脱落防止部材３０は、脱落防止棒３１と、脱落防止棒３１を抜き差し自在に収納する棒ケース３２と、を備える。
【００６０】
脱落防止棒３１は、棒状部材であり、例えば、表カバー部２の横辺の長さの半分程度の長さとなっている。棒ケース３２は、脱落防止棒３１を挿入可能な筒状に構成されている。棒ケース３２の一端には、脱落防止棒３１を挿入する開口部３３を有する。棒ケース３２の他端は、閉塞されている。棒ケース３２は、その開口部３３が表スリット部７側に臨むように表カバー部２に固定される。また、棒ケース３２は、棒ケース３２に挿入された脱落防止棒３１が、表スリット部７を横切るように、表カバー部２に設けられる。
【００６１】
通気口４０は、図１０に示すように、底面部９の左右方向の両端部をそれぞれ切り欠いて形成される。つまり、通気口４０は、刈払機用刃部カバー１Ｅの外部と内部（収容部５）とを連通させる開口となっている。
【００６２】
次に、第６実施形態の刈払機用刃部カバー１Ｅの作用について説明する。刈払機用刃部カバー１Ｅが刈払機２０の刃部２２に取り付けられた状態において、脱落防止棒３１を棒ケース３２に挿入し、表スリット部７を横切るようにセットする。
【００６３】
すると、脱落防止棒３１は、表側支持部２３が開口部４側に移動するのを規制する。つまり、刈払機用刃部カバー１Ｅが、刈払機２０の刃部２２から下方に脱落することを防止する。これにより、作業者が、刈払機用刃部カバー１Ｅが装着された刈払機２０を持って、作業場所等に移動する際、刈払機用刃部カバー１Ｅが刃部２２から脱落しにくくなる。また、通気口４０によって収容部５の通気性が確保される。
【００６４】
その他の構成及び作用は、前記第１実施形態の刈払機用刃部カバー１の場合と同様であるので、重複説明を省略する。
【００６５】
以上のように、第６実施形態の刈払機用刃部カバー１Ｅによれば、前記第１実施形態の刈払機用刃部カバー１と同様の効果が奏されると共に、以下に示す効果が奏される。
第６実施形態の刈払機用刃部カバー１Ｅにおいては、脱落防止部材３０と、通気口４０と、を更に備える。
そのため、刈払機用刃部カバー１Ｅが装着された刈払機２０を作業場所等に移動する際、この脱落防止部材３０によって、刈払機用刃部カバー１Ｅが刃部２２から脱落することを防止することができる。
【００６６】
また、通気口４０によって収容部５の通気性を確保することができる。そのため、草刈作業等によって水分が付着した刃部２２を、収容部５の内部で早く乾燥させることができ、刃部２２が錆びることを抑制することができる。
【００６７】
〔第７実施形態〕
次に、本発明の第７実施形態の刈払機用刃部カバー１Ｆについて図１１を参照しながら説明する。図１１は、本発明の第７実施形態の刈払機用刃部カバー１Ｆを示す斜視図である。図１１に示すように、刈払機用刃部カバー１Ｆは、脱落防止部材６０を備える。
【００６８】
脱落防止部材６０は、刈払機用刃部カバー１Ｆが刈払機２０の刃部２２に取り付けられた状態において、刈払機用刃部カバー１Ｆが刃部２２から脱落することを防止する部材である。具体的には、脱落防止部材６０は、脱落防止棒６１と、脱落防止棒６１を表カバー部２の横辺方向にスライド自在に収納する棒ケース６２と、脱落防止棒６１の一端（図１１において、右側の端部）を保持する保持部６３と、を備える。
【００６９】
脱落防止棒６１は、棒状部材であり、例えば、表スリット部７の開口幅よりも若干長くなっている。脱落防止棒６１の他端（図１１において、左側の端部）には、取手部６１ａが設けられる。取手部６１ａは、作業者が脱落防止棒６１をスライドさせる際に摘む部分である。取手部６１ａは、脱落防止棒６１が延びる方向と交差する方向（図１１において、紙面にほぼ垂直な方向）に脱落防止棒６１から突出している。
【００７０】
棒ケース６２は、平面視でコ字状に構成され、脱落防止棒６１を挿入可能となっている。棒ケース６２の一端（図１１において、右側の端部）には、脱落防止棒６１を挿入する開口部６４と、ストッパ部６５と、を有する。棒ケース６２の他端（図１１において、左側の端部）は、閉塞されている。棒ケース６２は、その開口部６４が表スリット部７側に臨むように表カバー部２に固定される。また、棒ケース６２は、表カバー部２の横辺とほぼ平行となるように表カバー部２に設けられる。ストッパ部６５は、表カバー部２の縦辺とほぼ平行となるように設けられている。ストッパ部６５は、取手部６１ａが表スリット部７側に移動することを規制する。保持部６３は、平面視でコ字状に構成され、脱落防止棒６１の一端を保持可能となっている。
【００７１】
次に、第７実施形態の刈払機用刃部カバー１Ｆの作用について説明する。刈払機用刃部カバー１Ｆが刈払機２０の刃部２２に取り付けられる前の状態においては、脱落防止棒６１は、棒ケース６２に収納されている。
【００７２】
刈払機用刃部カバー１Ｆを刈払機２０の刃部２２に取り付けた後、棒ケース６２に収納された脱落防止棒６１の取手部６１ａを摘んで表スリット部７側にスライドさせ、脱落防止棒６１の一端を保持部６３内に配置する。これにより、脱落防止棒６１が表スリット部７を横切るようにセットされる。
その他の作用は、前記第６実施形態の刈払機用刃部カバー１Ｅの場合と同様であるので、重複説明を省略する。
【００７３】
以上のように、第７実施形態の刈払機用刃部カバー１Ｆによれば、前記第１実施形態の刈払機用刃部カバー１と同様の効果が奏されると共に、以下に示す効果が奏される。
第７実施形態の刈払機用刃部カバー１Ｆにおいては、脱落防止部材６０を更に備える。
そのため、刈払機用刃部カバー１Ｆが装着された刈払機２０を作業場所等に移動する際、この脱落防止部材６０によって、刈払機用刃部カバー１Ｆが刃部２２から脱落することを防止することができる。また、脱落防止棒６１は、ストッパ部６５及び保持部６３によって、表スリット部７側へのスライド移動を規制される。そのため、脱落防止棒６１が棒ケース６２から脱落することを防止することができる。
【００７４】
〔第８実施形態〕
次に、本発明の第８実施形態の刈払機用刃部カバー１Ｇについて図１２を参照しながら説明する。図１２は、本発明の第８実施形態の刈払機用刃部カバー１Ｇを示す斜視図である。図１２に示すように、刈払機用刃部カバー１Ｇは、脱落防止部材７０を備える。
【００７５】
脱落防止部材７０は、刈払機用刃部カバー１Ｇが刈払機２０の刃部２２に取り付けられた状態において、刈払機用刃部カバー１Ｇが刃部２２から脱落することを防止する部材である。前述したように、第７実施形態の脱落防止部材６０（図１１参照）は、表カバー部２の横辺方向にスライド自在に構成された脱落防止棒６１を備える。
【００７６】
これに対して、第８実施形態の脱落防止部材７０は、図１２に示すように、表カバー部２の横辺方向と交差する方向に配置される回転軸７１ａ（後述）の回りに、回転自在に構成された脱落防止棒７１を備える点が、第７実施形態の脱落防止部材６０と異なる。以下、第８実施形態の脱落防止部材７０において、第７実施形態の脱落防止部材６０と同様の構成部材には、同一の符号を付し、重複説明を省略する。
【００７７】
図１２に示すように、脱落防止部材７０は、脱落防止棒７１と、脱落防止棒７１を収納する棒ケース６２と、脱落防止棒７１の一端（図１２において、右側の端部）を保持する保持部６３と、を備える。
脱落防止棒７１は、棒状部材であり、例えば、表スリット部７の開口幅よりも若干長くなっている。脱落防止棒７１の他端（図１２において、左側の端部）には、脱落防止棒７１と交差する方向に一対の回転軸７１ａが突出して設けられる。棒ケース６２は、脱落防止棒７１の一対の回転軸７１ａを回転自在に支持する。
【００７８】
次に、第８実施形態の刈払機用刃部カバー１Ｇの作用について説明する。刈払機用刃部カバー１Ｇが刈払機２０の刃部２２に取り付けられる前の状態においては、脱落防止棒７１は、棒ケース６２に収納されている。
【００７９】
刈払機用刃部カバー１Ｇを刈払機２０の刃部２２に取り付けた後、棒ケース６２に収納された脱落防止棒７１を、回転軸７１ａの回りに回転させ、脱落防止棒７１の一端を保持部６３内に配置する。これにより、脱落防止棒７１が表スリット部７を横切るようにセットされる。
その他の作用は、前記第６実施形態の刈払機用刃部カバー１Ｅの場合と同様であるので、重複説明を省略する。
【００８０】
以上のように、第８実施形態の刈払機用刃部カバー１Ｇによれば、前記第１実施形態の刈払機用刃部カバー１と同様の効果が奏されると共に、以下に示す効果が奏される。
第８実施形態の刈払機用刃部カバー１Ｇにおいては、脱落防止部材７０を更に備える。
そのため、刈払機用刃部カバー１Ｇが装着された刈払機２０を作業場所等に移動する際、この脱落防止部材７０によって、刈払機用刃部カバー１Ｇが刃部２２から脱落することを防止することができる。
【００８１】
また、脱落防止棒７１は、その回転軸７１ａが棒ケース６２によって回転自在に支持される。そのため、脱落防止棒７１が棒ケース６２（刈払機用刃部カバー１Ｇ）から脱落することを防止することができる。また、脱落防止棒７１の回転方向を切り換えることによって、必要時に脱落防止棒７１を容易に使用することができる。
【００８２】
〔第９実施形態〕
次に、本発明の第９実施形態の刈払機用刃部カバー１Ｈについて図１３を参照しながら説明する。図１３は、本発明の第９実施形態の刈払機用刃部カバー１Ｈを示す平面図である。
前記第６実施形態の刈払機用刃部カバー１Ｅ（図１０参照）は、通気口４０を底面部９の左右方向の両端部に備える。これに対し、第９実施形態の刈払機用刃部カバー１Ｈの通気口４０は、図１３に示すように、連結部６，６の底面部９側の端部及び底面部９の左右方向の両端部をそれぞれ切り欠いて形成される。通気口４０は、収容部５の内部と外部とを連通する。
【００８３】
第９実施形態の刈払機用刃部カバー１Ｅのその他の基本構成は、前記第２実施形態の刈払機用刃部カバー１Ａ（図６参照）と同様であるので、重複説明を省略する。
【００８４】
以上のように、第９実施形態の刈払機用刃部カバー１Ｈによれば、前記第２実施形態の刈払機用刃部カバー１Ａと同様の効果が奏されると共に、以下に示す効果が奏される。
第９実施形態の刈払機用刃部カバー１Ｈにおいては、前記第２実施形態の刈払機用刃部カバー１Ａ（図６参照）の構成に加え、連結部６，６の底面部９側の端部及び底面部９の左右方向の両端部に通気口４０を更に備える。
そのため、通気口４０によって収容部５の通気性を確保することができる。従って、草刈作業等によって水分が付着した刃部２２を、収容部５の内部で早く乾燥させることができ、刃部２２が錆びることを抑制することができる。
【００８５】
〔第１０実施形態〕
次に、本発明の第１０実施形態の刈払機用刃部カバー１Ｊについて図１４を参照しながら説明する。図１４は、本発明の第１０実施形態の刈払機用刃部カバー１Ｊを示す平面図である。
図１４に示すように、第１０実施形態の刈払機用刃部カバー１Ｊは、前記第２実施形態の刈払機用刃部カバー１Ａ（図６参照）の構成に加え、通気口４０と、突出部９ａとを更に備える。
【００８６】
通気口４０は、連結部６，６の底面部９側の端部をそれぞれ切り欠いて形成され、収容部５の内部と外部とを連通する。
【００８７】
突出部９ａは、底面部９の左右方向の両端部から外方向に突出している。つまり、刈払機用刃部カバー１Ｊにおける底辺（底面部９）の長さは、刈払機用刃部カバー１Ｊにおける上辺（開口部４の側の横辺）の長さよりも長くなっている。この突出部９ａは、外方向に向かって次第に細くなっている。突出部９ａの先端部は、丸くなっている。
【００８８】
第１０実施形態の刈払機用刃部カバー１Ｊのその他の基本構成は、前記第２実施形態の刈払機用刃部カバー１Ａ（図６参照）と同様であるので、重複説明を省略する。
【００８９】
以上のように、第１０実施形態の刈払機用刃部カバー１Ｊによれば、前記第２実施形態の刈払機用刃部カバー１Ａと同様の効果が奏されると共に、以下に示す効果が奏される。
第１０実施形態の刈払機用刃部カバー１Ｊは、前記第２実施形態の刈払機用刃部カバー１Ａ（図６参照）の構成に加え、連結部６，６の底面部９側の端部に形成された通気口４０と、底面部９の左右方向の両端部に設けられた突出部９ａと、を更に備える。
そのため、通気口４０によって、収容部５の通気性を確保することができ、刃部２２が錆びることを抑制することができる。
【００９０】
また、突出部９ａを備えることによって、底面部９の長さを長く確保することができ、底面部９と載置面５０（図６参照）とが当接する長さを十分に確保することができる。従って、刈払機２０を載置面５０に更に安定した状態で載置することができる。
【００９１】
〔第１１実施形態〕
次に、本発明の第１１実施形態の刈払機用刃部カバー１Ｋについて図１５及び図１６を参照しながら説明する。図１５は、本発明の第１１実施形態の刈払機用刃部カバー１Ｋを示す平面図である。図１６は、図１５に示すＡ−Ａ線で切断した凸部８０を示す断面図である。
図１５及び図１６に示すように、第１１実施形態の刈払機用刃部カバー１Ｋは、前記第２実施形態の刈払機用刃部カバー１Ａ（図６参照）の構成に加え、通気口４０と、凸部８０とを更に備える。
【００９２】
図１５に示すように、通気口４０は、連結部６，６の底面部９側の端部をそれぞれ切り欠いて形成され、収容部５の内部と外部とを連通する。
【００９３】
図１６に示すように、凸部８０は、表カバー部２及び裏カバー部３から収容部５側に突出し、且つ、収容部５に収容された刃部２２に当接可能に形成される。図１５に示すように、凸部８０は、左右の連結部６及び表スリット部７（裏スリット部８）の間にそれぞれ５つずつ配置され、且つ、連結部６と平行に配置される。
【００９４】
凸部８０は、例えば、半球状に形成され、表カバー部２及び裏カバー部３と一体に成形される。凸部８０の大きさは、収容する刃部２２の大きさによって異なるが、例えば、直径が８ｍｍ、高さが２ｍｍ程度であることが好ましい。
【００９５】
第１１実施形態の刈払機用刃部カバー１Ｋのその他の基本構成は、前記第２実施形態の刈払機用刃部カバー１Ａ（図６参照）と同様であるので、重複説明を省略する。
【００９６】
以上のように、第１１実施形態の刈払機用刃部カバー１Ｋによれば、前記第２実施形態の刈払機用刃部カバー１Ａと同様の効果が奏されると共に、以下に示す効果が奏される。
第１１実施形態の刈払機用刃部カバー１Ｋにおいては、前記第２実施形態の刈払機用刃部カバー１Ａ（図６参照）の構成に加え、連結部６，６の底面部９側の端部に形成された通気口４０と、表カバー部２及び裏カバー部３から収容部５側に突出され、且つ、収容部５に収容された刃部２２に当接可能に形成された凸部８０と、を更に備える。
【００９７】
そのため、通気口４０によって、収容部５の通気性を確保することができ、刃部２２が錆びることを抑制することができる。
また、刈払機２０の刃部２２に当接可能な凸部８０を備えることによって、刈払機用刃部カバー１Ｋと刃部２２との摩擦力を増加することができる。従って、作業者が、刈払機用刃部カバー１Ｋが装着された刈払機２０を持って、作業場所等に移動する際、刈払機用刃部カバー１Ｋが刃部２２から脱落しにくくなる。
【００９８】
〔第１２実施形態〕
次に、本発明の第１２実施形態の刈払機用刃部カバー１Ｌについて図１７及び図１８を参照しながら説明する。図１７は、本発明の第１２実施形態の刈払機用刃部カバー１Ｌを示す平面図である。図１８は、図１７に示すＢ−Ｂ線で切断した板バネ８５を示す断面図である。
図１７及び図１８に示すように、第１２実施形態の刈払機用刃部カバー１Ｌは、前記第２実施形態の刈払機用刃部カバー１Ａ（図６参照）の構成に加え、通気口４０と、板バネ８５と、取付開口部８６と、係止部８７と、を更に備える。
【００９９】
図１７に示すように、通気口４０は、連結部６，６の底面部９側の端部をそれぞれ切り欠いて形成され、収容部５の内部と外部とを連通する。
【０１００】
図１７に示すように、取付開口部８６は、連結部６及び表スリット部７（裏スリット部８）の間に配置され、且つ、連結部６と平行に配置される矩形の貫通孔である。この取付開口部８６は、収容部５に収容された刃部２２と対向可能な位置に配置されている。
【０１０１】
図１７及び図１８に示すように、係止部８７は、表カバー部２及び裏カバー部３の外表面において、取付開口部８６の長手方向両端部の近傍に一対ずつ設けられ、板バネ８５（後述）の長手方向の両端部を係止する。
係止部８７は、板バネ８５（後述）の長手方向の端部を挿入可能な係止溝８７ａを有する。この係止溝８７ａは、係止部８７において取付開口部８６を臨む面に開口される。係止溝８７ａは、連結部６が延びる方向と平行な方向に延びている。
【０１０２】
図１８に示すように、板バネ８５は、平面視で長方形となっており、側面視で一方側に突出する円弧状となっている。板バネ８５の上記円弧状部分は、収容部５に収容された刃部２２に、弾性的に当接可能に形成される。板バネ８５の長手方向における両端部は、側面視で直線状に形成され、後述の係止部８７によって係止される。
板バネ８５の上記円弧状部分は、図１７に示すように、表カバー部２及び裏カバー部３の取付開口部８６に挿入され、表カバー部２及び裏カバー部３から収容部５側に突出するように配置される。
【０１０３】
第１２実施形態の刈払機用刃部カバー１Ｌのその他の基本構成は、前記第２実施形態の刈払機用刃部カバー１Ａ（図６参照）と同様であるので、重複説明を省略する。
【０１０４】
以上のように、第１２実施形態の刈払機用刃部カバー１Ｌによれば、前記第２実施形態の刈払機用刃部カバー１Ａと同様の効果が奏されると共に、以下に示す効果が奏される。
第１２実施形態の刈払機用刃部カバー１Ｌにおいては、前記第２実施形態の刈払機用刃部カバー１Ａ（図６参照）の構成に加え、連結部６，６の底面部９側の端部に形成された通気口４０と、表カバー部２及び裏カバー部３から収容部５側に突出され、且つ、収容部５に収容された刃部２２に当接可能に形成された板バネ８５と、を更に備える。
【０１０５】
そのため、通気口４０によって、収容部５の通気性を確保することができ、刃部２２が錆びることを抑制することができる。
また、刈払機２０の刃部２２に当接可能な板バネ８５を備えることによって、刈払機用刃部カバー１Ｌと刃部２２との摩擦力（当接力）を増加することができる。従って、作業者が、刈払機用刃部カバー１Ｌが装着された刈払機２０を持って、作業場所等に移動する際、刈払機用刃部カバー１Ｌが刃部２２から脱落しにくくなる。
【０１０６】
以上、本発明の一実施形態について説明したが、本発明は、前述した実施形態に制限されるものではなく、適宜変更が可能である。
例えば、前記各実施形態においては、刈払機用刃部カバー１，１Ａ，１Ｂ，１Ｃ，１Ｄ，１Ｅ，１Ｆ，１Ｇ，１Ｈ，１Ｊ，１Ｋ，１Ｌは、プラスチック等の合成樹脂により成形されるものとして説明したが、これに制限されず、刃部２２を保護することができれば、ゴムや木材、その他の材質によって構成されてもよい。
【０１０７】
また、前記第１１実施形態においては、刈払機用刃部カバー１Ｋの凸部８０は、表カバー部２及び裏カバー部３の両者から収容部５側に突出するものとして説明したが、これに制限されず、表カバー部２又は裏カバー部３のいずれか一方から収容部５側に突出するものであってもよい。
【０１０８】
また、前記第１２実施形態においては、刈払機用刃部カバー１Ｌの板バネ８５は、表カバー部２及び裏カバー部３の両者から収容部５側に突出するものとして説明したが、これに制限されず、表カバー部２又は裏カバー部３のいずれか一方から収容部５側に突出するものであってもよい。
【０１０９】
また、前記第１２実施形態においては、刈払機用刃部カバー１Ｌに設ける弾性部材として、板バネ８５を例にして説明したが、これに制限されず、刃部２２に所定の弾性力で当接できれば、ゴム等その他の弾性部材であってもよい。
【０１１０】
また、前記各実施形態を任意に組み合わせて刈払機用刃部カバーを構成してもよい。
【符号の説明】
【０１１１】
１，１Ａ，１Ｂ，１Ｃ，１Ｄ，１Ｅ，１Ｆ，１Ｇ，１Ｈ，１Ｊ，１Ｋ，１Ｌ  刈払機用刃部カバー
２  表カバー部
２ａ  表面
３  裏カバー部
４  開口部
４ａ  開口縁
５  収容部
６  連結部
７  表スリット部
８  裏スリット部
９  底面部
２０  刈払機
２１  柄部
２１ａ  一端
２２  刃部
２２ａ  表面
２２ｂ  裏面
２３  表側支持部
２４  裏側支持部
４０  通気口
８０  凸部
８５  板バネ（弾性部材）
θ１，θ２  鋭角
【図１】
2012029681.tif 000003
【図２】
2012029681.tif 000004
【図３】
2012029681.tif 000005
【図４】
2012029681.tif 000006
【図５】
2012029681.tif 000007
【図６】
2012029681.tif 000008
【図７】
2012029681.tif 000009
【図８】
2012029681.tif 000010
【図９】
2012029681.tif 000011
【図１０】
2012029681.tif 000012
【図１１】
2012029681.tif 000013
【図１２】
2012029681.tif 000014
【図１３】
2012029681.tif 000015
【図１４】
2012029681.tif 000016
【図１５】
2012029681.tif 000017
【図１６】
2012029681.tif 000018
【図１７】
2012029681.tif 000019
【図１８】
2012029681.tif 000020